(57)【要約】【課題】手のひらが硬直状態もしくは硬直状態になるような状態を防ぐための従来の握り具は、構造が複雑で手の自由のきかない人には装着が難しいものであり、しかも装着するとその状態で硬直してしまという問題がある。また、手を握りしめた状態をできるだけ避け、手の指をのばしたり拡げたりすることが難しいという問題がある。【解決手段】発泡体樹脂やスポンジ等の弾性素材により、手の厚さよりやや厚い程度にした平部と４本の指部とよりなる芯材を、天然素材や合成繊維による布状体による表装材によって覆い、この表装材の前後両面の平部にポケットを設けたことを特徴とする。【選択図】        図１
2007283012.tif 000002
【特許請求の範囲】
【請求項１】
発泡体樹脂やスポンジ等の弾性素材により、手の厚さよりやや厚い程度にした平部と４本の指部とよりなる芯材を、天然素材や合成繊維による布状体による表装材によって覆い、この表装材の前後両面（表裏両面）の平部には共にポケットを設けたことを特徴とする握り具。
【請求項２】
請求項１において、手のひらの厚さよりやや厚く多少のふくらみのあ
る平部と、指を多少拡げた状態の形状にしたことを特徴とする握り具。
【請求項３】
請求項１において、ポケットに茶の葉を入れたことを特徴とする握り具。
【発明の詳細な説明】
【技術分野】
【０００１】
本発明は、寝たきり老人等が用いる手に握る握り具に関する。
【背景技術】
【０００２】
麻痺や被介護老人等の手が硬直したりそれに近い状態になることにより、指を握りしめた状態が長い期間続くと、垢や白癬菌等により炎症を起こしたり爪が皮膚にくいこんだりして好ましくない。
そこで、手のひらを保護するための握り部を有する保護具がある（例えば、特許文献１参照）。
【特許文献１】特開２００４−２０１９７６号公報
【発明の開示】
【発明が解決しようとする課題】
【０００３】
しかしながら、上述した従来の技術においては、構造が複雑で手の自由のきかない人には装着が難しいものであり、しかも装着するとその状態でこう着してしまという問題がある。
また、装着に際して右手用と左手用の区別があり、これも装着時の障害となるという問題がある。
【０００４】
さらに、手を握りしめた状態をできるだけ避け、手の指をのばしたり拡げたりすることが難しいという問題がある。
本発明は、このような問題を解決することを課題とし、容易に着脱でき、しかも指を動かすことができるようにすることを目的とする。
【課題を解決するための手段】
【０００５】
そこで本発明は、発泡体樹脂やスポンジ等の弾性素材により、手の厚さよりやや厚い程度にした平部と４本の指部とよりなる芯材を、天然素材や合成繊維による布状体による表装材によって覆い、この表装材の前後両面（表裏両面）の平部にはポケットを設けたことを特徴とする。
【発明の効果】
【０００６】
このようにした本発明は、各指および手の平は互いに触れることがなくしかもそれぞれが握り具に接しているために汗をかいても表装材によって吸われて乾いた状態が得られ、ポケット内の消毒薬やお茶等の殺菌作用によって白癬症等の発症もない。
また、各指同志は互いに触れることなく離れた状態で反対側に回り、爪が手に食い込むようなことは発生しないという効果が得られる。
【０００７】
さらに、握り具を握った状態で芯材のふわふわした弾性を利用して指を縮めたり伸ばしたりすることができ、握力の回復を促すことができる。  
【発明を実施するための最良の形態】
【０００８】
以下、図面を参照して本発明による実施例を説明する。
【実施例】
【０００９】
図１は実施例を示す説明図、図２は図１のＡ―Ａ線断面図、図３は芯材の説明図、図４は使用状態の説明図、図５は使用状態の反対側の説明図である。
１は握り具であり、大略手のひら状で大きさも同程度であり、平部２と４本の指部３があり、左右および前後（表裏）はそれぞれ対称としておくと左右の手の区別がなく使えて具合がよいが、必ずしも対称でなくてもよい。
【００１０】
４は上記握り具１を構成する芯材であり、図３に示す如く、発泡体樹脂やスポンジ等の弾性素材により、手の厚さよりやや厚い程度でふくらみのある平部５と、指を多少拡げた状態の形状にした４本の指部６とを一体に形成してある。この弾性の程度は、適宜に定める。なお、指部６の各指の形状は任意である。本実施例では同一の太さとしてあり、股の位置も同一線上にしてあるが、適宜変化させても無論よい。
【００１１】
この芯材４の全表面を木綿や麻等の天然素材や合成繊維による布状体による表装材７によって覆ってある。本実施例では指部と平部のある袋状体とし、芯材４を覆うようにはめてある。
さらに、平部２の表装材７の前後両面（表裏両面）には共に略平部を覆うような大きさのポケット８が設けてある。
【００１２】
なお、芯材４は上記のような一体に形成した弾性材でなくてもよく、ビーズや綿もしくは樹脂等の小片等を上記形状の表装材７の中に詰めて構成してもよい。
いずれの芯材にせよ、前記指部３の各間に使用者の指を挟み込むものであるために、使用者の指を挟み込ませることができる柔軟さ（弾性）が要求され、長時間にわたって使用するためにそれに耐えられる程度の柔軟さであり、硬すぎてはいけない。
【００１３】
また、上記構成において、表装材７の下端をファスナー等によって開口可能にしておき、その口から芯材４を抜き出し可能にしてそれ単独で洗うことができるようにしておいてもよい。
上述した構成の作用について説明する。
ポケット８に消毒薬を染み込ませたガーゼ等やお茶の葉を入れた袋等を入れ、その平部２に使用者の手のひらを当て、人差し指、中指、薬指をそれぞれ各指部３の間に挟み込ませ、各指の股を各指部３の股に入り込ませて握らせる。
【００１４】
これによって、使用者の手は拡がった状態で手のひらが平部１に当たり、使用者の各指は図５に示す如く、人差し指、中指、薬指は反対側に回り、親指と小指は握り具１の両側に回って挟んだ状態で握り具１を握ることになる。
この握った状態は、平部２は多少膨らんだ状態であるために、手のひらは平部２にフィットし、指を含めた手のひら全面が握り具１に触れた状態になる。
【００１５】
これによって、手のひらおよび各指は互いに触れることがなくしかもそれぞれが握り具に接しているために汗をかいても表装材７によって乾いた状態が得られ、ポケット内の消毒薬やお茶等の殺菌作用によって白癬症等の発症もない。
また、図５に示す如く、各指同志は互いに触れることなく離れた状態で反対側に回っているために、爪が手のひらに食い込むようなことは発生しない。
【００１６】
さらに、使用者は、握り具１を握った状態で芯材４のふわふわした弾性を利用して指を縮めたり伸ばしたりすることができ、握力の回復を促すことができる。
両方の手をそれぞれ上記のようにして握り具１を握らせることになる。
必要に応じて、丸洗いもしくは開口を設けておけば芯材４と表装材７とを別にして洗濯することができ、清潔状態は保たれる。
【図面の簡単な説明】
【００１７】
【図１】実施例を示す説明図
【図２】図１のＡ―Ａ線断面図
【図３】芯材の説明図
【図４】使用状態の説明図
【図５】使用状態の反対側の説明図
【符号の説明】
【００１８】
１  握り具
２  平部
３  指部
４  芯材
５  平部
６  指部
７  表装材
８  ポケット
【図１】
2007283012.tif 000003
【図２】
2007283012.tif 000004
【図３】
2007283012.tif 000005
【図４】
2007283012.tif 000006
【図５】
2007283012.tif 000007